(57)【特許請求の範囲】
【請求項１】
循環パイプを介して浴槽水を風呂釜により循環加熱する浴槽に形成されて前記循環パイプが接続された循環口に装着される浴槽用アダプタであって、
前記浴槽水が通過する貫通孔が形成され、前記循環口の外周に当接される基部と、
前記基部から延びて形成され、弾性変形により前記循環パイプの内壁に当接可能に設けられた複数の押圧部と、
頭部が前記基部に係止されるとともにねじ溝の形成された棒状の本体部が前記循環パイプと同方向に延びるねじ部材と、
前記ねじ部材に対して取り外し可能にねじ結合され、このねじ部材の回転により前記循環パイプの長さ方向に移動して前記押圧部を前記循環パイプの径方向外方に変位させ、これらを前記循環パイプの内壁に押し付ける拡径部と、
前記基部に取り付けられ、前記浴槽水に所定の処理を施す機能部とを有することを特徴とする浴槽用アダプタ。
【請求項２】
前記基部または前記拡径部の少なくとも何れか一方には、前記ねじ部材の回転に伴う前記拡径部の回転を阻止するガイド部が形成されていることを特徴とする請求項１記載の浴槽用アダプタ。
【請求項３】
前記ねじ部材は、前記基部の中心位置またはこの中心位置からずれた位置において１本設けられていることを特徴とする請求項１または２記載の浴槽用アダプタ。
【請求項４】
前記ねじ部材は、相互に所定の間隔をあけて、且つ前記基部の中心位置からずれた位置において２本設けられていることを特徴とする請求項１または２記載の浴槽用アダプタ。
【請求項５】
前記押圧部および前記拡径部は相互に別体に形成され、前記押圧部に対する前記拡径部の接触位置が移動して行くことにより前記押圧部が前記循環パイプの径方向外方に変位されることを特徴とする請求項１〜４の何れか一項に記載の浴槽用アダプタ。
【請求項６】
前記押圧部および前記拡径部には相互に接触するテーパ面が形成され、前記押圧部のテーパ面に対する前記拡径部のテーパ面の接触位置が移動して行くことにより前記押圧部が前記循環パイプの径方向外方に変位されることを特徴とする請求項５記載の浴槽用アダプタ。
【請求項７】
前記押圧部および前記拡径部は相互に一体形成され、前記押圧部から屈曲して連続する略Ｖ字状の前記拡径部が広がることにより前記押圧部が前記循環パイプの径方向外方に変位されることを特徴とする請求項１〜４の何れか一項に記載の浴槽用アダプタ。
【請求項８】
前記浴槽用アダプタには、前記循環パイプの内壁に形成された突起との干渉を回避する干渉防止部が形成されていることを特徴とする請求項１〜７の何れか一項に記載の浴槽用アダプタ。
【請求項９】
前記機能部は、前記風呂釜に導入される前記浴槽水中の異物を除去するフィルタ、前記風呂釜からの前記浴槽水を前記浴槽の壁面に沿って拡散する湯止めキャップ、または前記風呂釜からの前記浴槽水を前記浴槽の所定方向に向けて吐出するノズルが形成されたノズルキャップであることを特徴とする請求項１〜８の何れか一項に記載の浴槽用アダプタ。
【発明の詳細な説明】
【０００１】
【発明の属する技術分野】
本発明は浴槽に形成された循環口に取り付けられる浴槽用アダプタに関するものである。
【０００２】
【従来の技術】
従来の循環式の風呂釜は、２本の循環パイプにより浴槽と風呂釜とを接続して風呂焚きや追焚きを行う自然循環式のものが主流であった。
【０００３】
しかしながら、この自然循環式の風呂釜では、構造上、遠隔追焚きを行うことができないという問題点がある。したがって、浴槽の横に風呂釜を設置するスペースがとれない場合には、追焚きを行うことができない。また、たとえば家屋の２階に浴室を設けて浴槽を設置し、これを風呂釜と分離した場合にも、追焚きを行うことができない。
【０００４】
そこで、上記の問題を解決するため、循環ポンプにより浴槽水を循環させる強制循環式の風呂釜が提案されている。この強制循環式の風呂釜によれば、浴槽と風呂釜とが相互に離れた位置に設置されていても浴槽水が循環ポンプにより強制的に循環されるので、遠隔追焚きが可能になるものである。
【０００５】
ここで、強制循環式の風呂釜では、浴槽水を強制循環させる循環ポンプが髪の毛、髪留め用の輪ゴム、タオルといった浴槽水中の異物を巻き込んで動作不良を起こすおそれがある。そこで、浴槽水が風呂釜への吸い込まれる方の循環口にフィルタを有する浴槽用アダプタを取り付けて異物を除去し、このようなおそれを未然に回避することが行われている。
【０００６】
図２４に従来の浴槽用アダプタを、図２５に循環口に取り付けられた図２４の浴槽用アダプタをそれぞれ示す。
【０００７】
図２４に示すように、従来の浴槽用アダプタ４４には循環口４５に挿入される筒状のジョイント部４６が形成されている。このジョイント部４６の外周には、放射状に広がるゴム製のフィン４７が設けられている。これによれば、図２５に示すように、ジョイント部４６を挿入したときのフィン４７の弾性変形により、浴槽用アダプタ４４が循環口４５に取り付けられる。
【０００８】
しかし、このような従来の浴槽用アダプタ４４は、循環パイプ１４の内壁に対するゴム製のフィン４７の摩擦抵抗により係止されているだけなので、わずかの力が加わっただけで簡単に外れてしまう。これでは、循環ポンプへの異物の巻き込みを確実に防止することができない。
【０００９】
【発明が解決しようとする課題】
そこで、フィンの弾性変形を利用する代わりに、ジャッキの原理を利用して取り付けることが考えられる。これは、相互に回動自在に連結された４本のアームを用い、これらのアームにより形成される対向位置の２つの関節部間の距離を狭めることにより、対向する他の２つの関節部間の距離を広げてこれを循環パイプの内壁に押し付けるものである。この浴槽用アダプタによれば、ジャッキ部分が循環パイプを内側から押し広げるように固定されるので、循環口に確実に固定されて外れにくくなる。
【００１０】
ここで、自然循環式の風呂釜においては、浴槽水は浴槽に形成された下部の循環口から風呂釜に送られて加熱され、上部の循環口から再び浴槽内に戻される。したがって、浴槽内の人間に熱湯が直接当たらないように、上部の循環口には、戻された浴槽水を浴槽の壁面に沿って拡散させる湯止めキャップが取り付けられている。そのため、上部の循環口に接続される循環パイプの開口端の形状は、湯止めキャップの取り付けのために、中央部にねじ孔の形成された支柱が形成されていたり、単なる円形であったりあるいは六角形などの多角形であったり、嵌合突起が内壁の対向する２箇所に形成されていたりと様々である。支柱の形状（手前に突出した形状など）や幅、あるいは嵌合突起の形状や高さ、形成位置などは多岐にわたっており、数十種類ものパターンがあると思われる。
【００１１】
このような自然循環式の風呂釜を強制循環式の風呂釜へ変更した場合にあっては、浴槽と風呂釜とを連結する循環パイプが壁を貫通していて取り外しができない場合がある。このようなときには、循環パイプはそのままにして、風呂釜部分だけを強制循環式のものに取り換える作業が行われる。
【００１２】
変更された強制循環式の風呂釜の仕様によっては、それまでの自然循環式の風呂釜とは反対に、上部の循環口から浴槽水を風呂釜に取り込んで加熱し、下部の循環口から浴槽内に戻す構造になっているものがある。説明したように、強制循環式では風呂釜への吸い込み側の循環口にフィルタを有する浴槽用アダプタを取り付ける必要があるので、このような強制循環式の風呂釜では、当該アダプタは上部の循環口に取り付けられる。そして、強制循環式の風呂釜が自然循環式の風呂釜の循環パイプを流用したものである場合には、上部の循環口に取り付けられる循環パイプの開口端の形状は湯止めキャップの取り付けのために種々の形状となっているが、この循環口に浴槽用アダプタを取り付けなければならない。
【００１３】
ここで、前述したジャッキの原理による浴槽用アダプタによれば、循環口に湯止めキャップ用の支柱がある循環パイプが接続されている場合には、この支柱が邪魔になって取り付けることができない。また、前記したフィン付きのジョイント部を有する浴槽用アダプタでは、このような支柱のある循環パイプが接続されている場合のみならず、ジョイント部が干渉する嵌合突起を有する循環パイプが接続された循環口や、固定力が不安定になる多角形の循環パイプが接続された循環口にも取り付けることができない。
【００１４】
以上のように、従来の浴槽用アダプタによれば、循環口から外れやすかったり、循環口の形状によっては取り付けが不可能となっていた。
【００１５】
そこで、本発明は、循環口から外れにくく、且つ循環口に接続された循環パイプの形状を選ばずに取り付けが可能な汎用性を有する浴槽用アダプタを提供することを目的とする。
【００１６】
【課題を解決するための手段】
上記課題を解決するため、本発明に係る浴槽用アダプタは、浴槽水が通過する貫通孔が形成され、循環口の外周に当接される基部と、この基部から延びて形成され、弾性変形により循環パイプの内壁に当接可能に設けられた複数の押圧部と、頭部が基部に係止されるとともにねじ溝の形成された棒状の本体部が循環パイプと同方向に延びるねじ部材と、ねじ部材に対して取り外し可能にねじ結合され、このねじ部材の回転により循環パイプの長さ方向に移動して押圧部を循環パイプの径方向外方に変位させ、これらを循環パイプの内壁に押し付ける拡径部と、基部に取り付けられ、浴槽水に所定の処理を施す機能部とを有することを特徴とする。
【００１７】
このような発明によれば、支柱や嵌合突起の有無あるいは循環口に接続された循環パイプの形状を問わず、浴槽用アダプタを循環口に確実に取り付けることが可能になる。
【００１８】
前述の発明において、基部または拡径部の少なくとも何れか一方には、ねじ部材の回転に伴う拡径部の回転を阻止するガイド部を形成することが望ましい。
【００１９】
また、ねじ部材は、基部の中心位置またはこの中心位置からずれた位置において１本設けることができる。あるいは、相互に所定の間隔をあけて、且つ基部の中心位置からずれた位置において２本設けることができる。
【００２０】
押圧部および拡径部を相互に別体に形成し、押圧部に対する拡径部の接触位置を移動して行くことで押圧部を循環パイプの径方向外方に変位させるようにしてもよい。この場合、押圧部および拡径部には相互に接触するテーパ面を形成し、押圧部のテーパ面に対する拡径部のテーパ面の接触位置を移動させて押圧部を循環パイプの径方向外方に変位させるようにすることができる。
【００２１】
あるいは、押圧部および拡径部を相互に一体形成し、押圧部から屈曲して連続する略Ｖ字状の拡径部を広げて押圧部を循環パイプの径方向外方に変位させるようにすることができる。
【００２２】
これらの浴槽用アダプタには、循環パイプの内壁に形成された突起との干渉を回避する干渉防止部を形成することができる。
【００２３】
そして、浴槽用アダプタの機能部には、風呂釜に導入される浴槽水中の異物を除去するフィルタ、風呂釜からの浴槽水を浴槽の壁面に沿って拡散する湯止めキャップ、または風呂釜からの浴槽水を浴槽の所定方向に向けて吐出するノズルが形成されたノズルキャップを適用することができる。
【００２４】
【発明の実施の形態】
以下、本発明の実施の形態を、図面を参照しつつさらに具体的に説明する。なお、添付図面において同一の部材には同一の符号を付しており、また、重複した説明は省略されている。なお、発明の実施の形態は、本発明が実施される特に有用な形態としてのものであり、本発明がその実施の形態に限定されるものではない。
【００２５】
（実施の形態１）
図１は本発明の一実施の形態である浴槽用アダプタが取り付けられた風呂釜を示す概略図、図２は図１の浴槽用アダプタを示す斜視図、図３は図２の浴槽用アダプタの要部を詳しく示す分解斜視図、図４は風呂釜の循環口に挿入された浴槽用アダプタを示す断面図、図５は風呂釜の循環口に固定された浴槽用アダプタを示す断面図、図６は風呂釜の循環口に固定されてフィルタが取り付けられた浴槽用アダプタを示す断面図、図７は図２の浴槽用アダプタが装着される循環口に接続された循環パイプの一例を示す斜視図、図８は図２の浴槽用アダプタが装着される循環口に接続された循環パイプの他の一例を示す斜視図、図９は図２の浴槽用アダプタが装着される循環口に接続された循環パイプのさらに他の一例を示す斜視図、図１０は図２の浴槽用アダプタが装着される循環口に接続された循環パイプのさらに他の一例を示す斜視図、図１１は図２の浴槽用アダプタが装着される循環口に接続された循環パイプのさらに他の一例を示す斜視図、図１２は図８および図９に示す循環パイプと浴槽用アダプタとの取り付け状態を示す説明図、図１３は図１０に示す循環パイプと浴槽用アダプタとの取り付け状態を示す説明図、図１４は図１１に示す循環パイプと浴槽用アダプタとの取り付け状態を示す説明図である。
【００２６】
図１に示すように、本実施の形態における風呂焚きおよび追焚きをする風呂釜１３は、浴槽水１１が湯張りされた浴槽１２の浴槽水１１と循環パイプ１４を介して接続されている。
【００２７】
循環パイプ１４は、浴槽１２からの浴槽水１１を風呂釜１３に導入するための往き管１５と、風呂釜１３により加熱された浴槽水１１を浴槽１２に戻すための戻り管１６とからなる。また、風呂釜１３には、この風呂釜１３内を通る循環パイプ１４に設けられた熱交換器１７を加熱するバーナ１８が設置されている。したがって、浴槽水１１は熱交換器１７を通過することにより熱交換されて加熱される。
【００２８】
循環パイプ１４には、浴槽水１１を強制的に浴槽１２から風呂釜１３へと循環させるための循環ポンプ１９が取り付けられている。したがって、この風呂釜１３は、浴槽水１１を循環ポンプ１９の働きにより循環させる強制循環式の風呂釜であり、前述のように遠隔追焚きが可能なものである。
【００２９】
浴槽１２には循環パイプ１４と接続された循環口２０ａ，２０ｂが上下２箇所に形成されており、本実施の形態においては、循環ポンプ１９により、浴槽水１１は上部の循環口２０ａから往き管１５を通って風呂釜１３へ導入されて加熱され、戻り管１６を通って下部の循環口２０ｂから浴槽１２内へと戻される。但し、下部の循環口２０ｂから風呂釜１３へ導入し、上部の循環口２０ａから浴槽１２に戻すよう浴槽水１１を循環させてもよい。
【００３０】
ここで、風呂釜１３に向かう浴槽水１１が流入する上部の循環口２０ａには、髪の毛など浴槽水１１中の異物を除去して循環ポンプ１９の異物巻き込みを防止するフィルタ付きの浴槽用アダプタ２１が装着されている。また、風呂釜１３で加熱された浴槽水１１が排出される下部の循環口２０ｂには、浴槽水１１を浴槽１２の壁面に沿って吐出するノズルの形成されたノズルキャップ付きの浴槽用アダプタ２２（図２３参照）が装着されている。
【００３１】
図２に示すように、上部の循環口２０ａに取り付けられた浴槽用アダプタ２１は、当該循環口２０ａの外周に当接される円形の基部２３を有している。この基部２３には、浴槽水１１内の異物を除去するためのキャップ状のフィルタ（機能部）２４がたとえばねじ止めにより取り付けられている。フィルタ２４は、たとえば金属やプラスチック成形による細いメッシュからなり、浴槽水１１がこのメッシュを通り抜ける際に異物が捕捉される。また、基部２３には浴槽水１１が通過する貫通孔２５が形成されており、フィルタ２４を通過した浴槽水１１は、この貫通孔２５を通って往き管１５へと送られる。なお、フィルタ２４は、ねじ止めではなく、ロックピンによるピン結合など種々の取り付け形態を採用することができる。
【００３２】
図２および図３に示すように、たとえばプラスチックのように弾性変形可能な部材よりなる押圧部２６が、基部２３のフィルタ２４の取り付け側とは反対側の面から略垂直に延びて形成されている。この押圧部２６は環状の貫通孔２５を挟むようにして対向する２箇所に形成されており、相互に離反する方向に押し広げられて後述する循環パイプ１４の内壁に当接されるようになっている。なお、押圧部２６は、必ずしも本実施の形態のように２箇所に形成されている必要はなく、押圧部２６の当接によって浴槽用アダプタ２１が循環口２０ａに固定可能なようになっていれば、３箇所以上であってもよい。
【００３３】
基部２３には、貫通孔２５を横切るようにしてバー２７が設けられている。このバー２７の中央には孔２７ａが形成されており、孔２７ａを貫通してねじ部材２８が基部２３の中心位置に取り付けられている。ねじ部材２８は押圧部２６と同じ方向に延びるようにバー２７に取り付けられており、頭部２８ａはバー２７を介して基部２３に係止され、ねじ溝の形成された棒状の本体部２８ｂは押圧部２６と同方向に延びている。
【００３４】
ねじ部材２８には拡径部２９が取り外し可能にねじ結合されている。この拡径部２９はねじ部材２８の回転により循環パイプ１４の長さ方向に移動されるようになっている。拡径部２９には、内側が先端に向かって広がるように押圧部２６に形成されたテーパ面２６ａと同じ方向に傾斜したテーパ面２９ａが、テーパ面２６ａと接触するように形成されている。したがって、拡径部２９がねじ部材２８の回転により基部２３の方向に移動すると、押圧部２６のテーパ面２６ａに対する拡径部２９のテーパ面２９ａの接触位置が移動して押圧部２６が循環パイプ１４の径方向外方に変位され、内壁に押し付けられる。そして、これにより浴槽用アダプタ２１は循環口２０ａに固定される。
【００３５】
なお、本実施の形態においては、拡径部２９により押圧部２６が滑らかに押し広げられるように、押圧部２６および拡径部２９の両方にテーパ面２６ａ，２９ａを形成したが、何れか一方に形成して押し広げるようにしてもよい。さらに、テーパ面を形成するのではなく、たとえば押圧部２６を基部２３から広がるように形成し、このような押圧部２６を拡径部２９により押し広げるようにしてもよい。なお、以下の実施の形態を含め、拡径部２９が基部２３とは反対側に移動したときに押圧部２６が押し広げられるようにしてもよい。
【００３６】
拡径部２９に形成されたテーパ面２９ａの両側、および基部２３から延びた２つの押圧部２６の両側には、ねじ部材２８の回転に伴う拡径部２９の回転を阻止するガイド部２９ｂ，３０が設けられている。これにより、拡径部２９は回転することなく循環パイプ１４の長さ方向にスムーズに移動される。なお、ガイド部は何れか一方のみでもよく、設けられていなくてもよい。
【００３７】
２つの押圧部２６の両側に位置するガイド部３０の間には、後述するような循環パイプ１４の内壁に形成された突起との干渉を回避するための空間である干渉防止部３１が形成されている。なお、ガイド部３０を形成しない場合には、２つの押圧部２６の間がそのまま干渉防止部として機能する。
【００３８】
このような構造を有する浴槽用アダプタ２１の循環口２０ａへの取り付けについて、図４、図５および図６を用いて説明する。
【００３９】
図示するように、浴槽１２の側壁に形成された循環口２０ａには循環パイプ１４が接続されている。循環パイプ１４は、図１に示す風呂釜１３に延びるパイプ本体１４ａと、このパイプ本体１４ａの先端に取り付けられたアタッチメント１４ｂとで構成されている。パイプ本体１４ａおよびアタッチメント１４ｂの端部には径方向外方に広がるフランジ１４ｃ，１４ｄが形成されている。パイプ本体１４ａのフランジ１４ｃが浴槽１２の外側に、パイプ本体１４ａに挿入されたアタッチメント１４ｂのフランジ１４ｄが浴槽１２の内側にそれぞれ位置しており、浴槽１２はこれらのフランジ１４ｃ，１４ｄにより両側から挟まれたようになっている。フランジ１４ｃと浴槽１２との間、およびフランジ１４ｄと浴槽１２との間にはゴム製の環状シール３２がそれぞれはめ込まれており、水漏れが防止されている。
【００４０】
そして、前述した浴槽用アダプタ２１はこのような循環パイプ１４に挿入されて図１に示す循環口２０ａに固定されている。
【００４１】
浴槽用アダプタ２１を循環口２０ａに固定するに際しては、先ず、図４に示すように、基部２３が循環口２０ａの外周に当接するまで押圧部２６を循環パイプ１４内に挿入する。次に、図５に示すように、図示しないドライバを用いてねじ部材２８を時計回りに回転させると、ガイド部２９ｂ，３０により回転が抑止された拡径部２９が基部側に移動する。そして、この拡径部２９の移動により押圧部２６が循環パイプ１４の径方向外方に変位されて循環パイプ１４の内壁に押し付けられ、基部２３が確実に固定される。その後、図６に示すように、フィルタ２４を基部２３に取り付けると浴槽用アダプタ２１の取り付けが完了する。
【００４２】
ここで、浴槽用アダプタ２１が固定される循環パイプ１４のアタッチメント１４ｂを図７〜図１１に示す。
【００４３】
図７〜図１０に示すアタッチメント１４ｂはいずれも内周が円形のものであるが、特に、図８においては内壁の長さ方向中間の対向する２箇所に嵌合突起３３が形成され、図９においてはフランジと反対側の内壁に同じく嵌合突起３３が形成され、図１０においては中央部にねじ孔３４ａが形成されて開口を跨ぐ支柱３４が形成されている。また、図１１に示すアタッチメント１４ｂは内周が六角形に形成されている。
【００４４】
図７〜図１１に示すアタッチメント１４ｂの形状は、たとえば湯止めキャップを取り付けるためのものであり、前述のように、自然循環式の風呂釜を強制循環式の風呂釜に変えた場合には、それまで取り付けられていた湯止めキャップを取り外してここに図２に示す浴槽用アダプタ２１を装着するケースが出てくる。なお、湯止めキャップ以外の部材がこのような形状のアタッチメント１４ｂに取り付けられていた場合も考えられる。
【００４５】
そして、本実施の形態に示す浴槽用アダプタ２１では、図７〜図１１に示すいずれの形状のアタッチメント１４ｂにも取り付けが可能になっている。
【００４６】
すなわち、図７に示す単に内周が円形になったアタッチメント１４ｂの場合には、図４〜図６に示す順序に従って取り付けられる。
【００４７】
また、図８および図９に示す嵌合突起３３が形成されたアタッチメント１４ｂの場合には、図１２に示すように、嵌合突起３３が干渉防止部３１に来るように位置決めをした上で、図４〜図６に示す順序に従って取り付けられる。
【００４８】
さらに、図１０に示す支柱３４が形成されたアタッチメント１４ｂの場合には、図１３に示すように、拡径部２９をねじ部材２８から取り外して本体部２８ｂを支柱３４のねじ孔３４ａに通し、再びねじ部材２８と拡径部２９とをねじ結合した後、図４〜図６に示す順序に従って取り付けられる。なお、この場合には、ねじ部材２８を支柱３４のねじ孔３４ａに貫通させることから、ねじ部材２８の本体部２８ｂの径よりもねじ孔３４ａの径の方が大きいことが必要である。
【００４９】
そして、図１１に示す内周が六角形になったアタッチメント１４ｂの場合には、図７と同様、図４〜図６に示す順序に従って取り付けられる。但し、取り付け後のぐらつきを防止するためには、図１４に示すように、押圧部２６が一つの内壁平面を押し付けるように取り付けるのが望ましい。
【００５０】
このように、本実施の形態の浴槽用アダプタ２１によれば、支柱３４や嵌合突起３３の有無あるいは循環口２０ａに接続された循環パイプ１４の形状を問わず、循環口２０ａに確実に取り付けることが可能になる。
【００５１】
（実施の形態２）
図１５は本発明の他の実施の形態による浴槽用アダプタが循環口に取り付けられた状態を示す断面図、図１６は図１５に示す循環パイプと浴槽用アダプタとの取り付け状態を示す説明図である。
【００５２】
本実施の形態の浴槽用アダプタ３５にあっては、図１５に示すように、拡径部２９を移動させるねじ部材２８が基部２３の中心位置からずれた位置に設けられているものである。
【００５３】
このような浴槽用アダプタ３５によれば、支柱３４の形成されたアタッチメント１４ｂに取り付ける場合に、図１６に示すように、ねじ部材２８と支柱３４との干渉を避けることが可能になる。これにより、ねじ部材２８を支柱３４に形成されたねじ孔３４ａに通すことなく浴槽用アダプタ３５を循環口２０ａに装着することができる。したがって、特に、ねじ部材２８の本体部２８ｂの径よりもねじ孔３４ａの径の方を大きくする必要はない。
【００５４】
（実施の形態３）
図１７は本発明のさらに他の実施の形態による浴槽用アダプタが循環口に取り付けられた状態を示す断面図、図１８は図１７に示す循環パイプと浴槽用アダプタとの取り付け状態を示す説明図である。
【００５５】
本実施の形態の浴槽用アダプタ３６は、図１７に示すように、拡径部２９を移動させるねじ部材２８が相互に所定の間隔をあけて２本設けられている。また、これらのねじ部材２８は、いずれも基部２３の中心位置からずれた位置に取り付けられている。
【００５６】
このような浴槽用アダプタ３６によれば、支柱３４の形成されたアタッチメント１４ｂに取り付ける場合に、図１８に示すように、２本のねじ部材２８は支柱３４の両側に位置することになるので、実施の形態２に示す場合と同様、ねじ部材２８と支柱３４との干渉を避けることが可能になり、ねじ部材２８を支柱３４に形成されたねじ孔３４ａに通すことなく浴槽用アダプタを循環口２０ａに装着することができる。
【００５７】
また、２本のねじ部材２８で拡径部２９を移動するようにしているので、各ねじ部材２８を交互に回転させて行くことによって、拡径部２９は基部２３に対して傾斜することなくスムーズに移動される。
【００５８】
（実施の形態４）
図１９は本発明のさらに他の実施の形態による循環口に挿入された浴槽用アダプタを示す断面図、図２０は循環口に固定された浴槽用アダプタを示す断面図である。
【００５９】
図示する浴槽用アダプタ３７は、押圧部３８と略Ｖ字状の拡径部３９とが一体形成されているものである。すなわち、拡径部３９は一方の押圧部３８から基部２３方向に屈曲して連続形成されてされており、さらに屈曲して他方の拡径部３９に形成された係止部に係止されている。そして、実施の形態１〜３に示す場合と異なり、拡径部３９を基部２３と反対方向に移動させることによって拡径部３９が押圧部３８を押し広げるようになっている。但し、拡径部３９を図示する場合とは逆方向の略Ｖ字状に形成して、これを基部２３の方向に移動させて押圧部３８を押し広げるようにしてもよい。
【００６０】
本実施の形態の浴槽用アダプタ３７の取り付けは、先ず、図１９に示すように、基部２３が循環口２０ａの外周に当接するまで押圧部３８を循環パイプ１４内に挿入する。次に、図２０に示すように、ねじ部材２８を反時計回りに回転させて拡径部３９を基部２３と反対方向に移動させる。すると、略Ｖ字状の拡径部３９が次第に広がって行き、このような拡径部３９によって押圧部３８は循環パイプ１４の径方向外方に変位されてその内壁に押し付けられる。これにより、浴槽用アダプタ３７は循環口２０ａに固定される。
【００６１】
このように、本実施の形態の浴槽用アダプタ３７によれば、押圧部３８と拡径部３９とが一体化されているので、コストダウンを図ることが可能になる。
【００６２】
（実施の形態５）
図２１は本発明のさらに他の実施の形態による浴槽用アダプタが循環口に取り付けられた状態を示す断面図である。
【００６３】
図示するように、本実施の形態の浴槽用アダプタ４０は、押圧部３８と拡径部３９とが一体形成されており、さらに、拡径部３９を移動させるねじ部材２８が基部２３の中心位置からずれた位置に設けられているものである。
【００６４】
このような浴槽用アダプタ４０によれば、押圧部３８と拡径部３９との一体化によるコストダウンに加えて、実施の形態２に示す場合と同様、支柱３４の形成されたアタッチメント１４ｂに取り付ける場合に、ねじ部材２８と支柱３４との干渉を避けることが可能になり、ねじ部材２８を支柱３４に形成されたねじ孔３４ａに通すことなく浴槽用アダプタ４０を循環口２０ａに装着することが可能になる。
【００６５】
（実施の形態６）
図２２は本発明のさらに他の実施の形態による浴槽用アダプタが循環口に取り付けられた状態を示す断面図である。
【００６６】
本実施の形態の浴槽用アダプタ４１は、押圧部３８と拡径部３９とが一体形成されており、さらに、拡径部３９を移動させるねじ部材２８が相互に所定の間隔をあけて且つ基部２３の中心位置からずれて２本設けられている。
【００６７】
このような浴槽用アダプタ４１によれば、押圧部３８と拡径部３９との一体化によるコストダウンに加えて、支柱３４の形成されたアタッチメント１４ｂに取り付ける場合に、２本のねじ部材２８は支柱３４の両側に位置することになるので、ねじ部材２８と支柱３４との干渉を避けることが可能になる。また、２本のねじ部材２８で拡径部３９を移動するようにしているので、拡径部３９はスムーズに移動される。
【００６８】
（実施の形態７）
図２３は本発明のさらに他の実施の形態による浴槽用アダプタが循環口に取り付けられた状態を示す断面図である。
【００６９】
本実施の形態の浴槽用アダプタ４２では、浴槽水１１中の異物を除去するフィルタ２４ではなく、風呂釜１３（図１）からの浴槽水１１を浴槽１２の所定方向（たとえば、浴槽１２の壁面に沿った斜め下方）に向けて吐出するためのノズル４３ａが形成されたノズルキャップ４３が基部２３に取り付けられている。基部２３に取り付けられる機能部はフィルタ２４には限られず、このようなノズルキャップ４３、あるいは風呂釜１３からの浴槽水１１を浴槽１２の壁面に沿って拡散する湯止めキャップなどを適用することができる。
【００７０】
なお、フィルタ２４を取り付けた浴槽用アダプタは浴槽１２内の浴槽水１１を風呂釜１３に導入する方の循環口２０ａに装着されるが、ノズルキャップや湯止めキャップを取り付けた浴槽用アダプタは風呂釜１３からの浴槽水１１を浴槽１２内に注ぐ方の循環口２０ｂに装着される。
【００７１】
【発明の効果】
以上の説明から明らかなように、本発明によれば以下の効果を奏することができる。
【００７２】
(1).支柱や係止用突起の有無あるいは循環口に接続された循環パイプの形状を問わず、広く汎用性を持って浴槽用アダプタを循環口に確実に取り付けることが可能になる。
【００７３】
(2).ねじ部材の回転に伴う拡径部の回転を阻止するガイド部が設けられた浴槽用アダプタによれば、拡径部を循環パイプの長さ方向にスムーズに移動させることができる。
【００７４】
(3).ねじ部材が基部の中心位置からずれた位置に設けられた浴槽用アダプタによれば、支柱の形成されたアタッチメントに取り付ける場合に、ねじ部材と支柱との干渉を避けて浴槽用アダプタを循環口に装着することができる。
【００７５】
(4).ねじ部材が２本設けられた浴槽用アダプタによれば、支柱の形成されたアタッチメントに取り付ける場合に、ねじ部材と支柱との干渉を避けて浴槽用アダプタを循環口に装着することができる。また、拡径部をスムーズに移動させることができる。
【００７６】
(5).押圧部および拡径部にテーパ面の形成された浴槽用アダプタによれば、拡径部により押圧部を滑らかに押し広げることができる。
【００７７】
(6).干渉防止部が形成された浴槽用アダプタによれば、循環パイプの内壁に形成された突起との干渉が回避される。
【００７８】
(7).押圧部と拡径部とが一体形成された浴槽用アダプタによれば、両者を一体化することによるコストダウンを図ることができる。
【図面の簡単な説明】
【図１】本発明の一実施の形態である浴槽用アダプタが取り付けられた風呂釜を示す概略図である。
【図２】図１の浴槽用アダプタを示す斜視図である。
【図３】図２の浴槽用アダプタの要部を詳しく示す分解斜視図である。
【図４】風呂釜の循環口に挿入された浴槽用アダプタを示す断面図である。
【図５】風呂釜の循環口に固定された浴槽用アダプタを示す断面図である。
【図６】風呂釜の循環口に固定されてフィルタが取り付けられた浴槽用アダプタを示す断面図である。
【図７】図２の浴槽用アダプタが装着される循環口に接続された循環パイプの一例を示す斜視図である。
【図８】図２の浴槽用アダプタが装着される循環口に接続された循環パイプの他の一例を示す斜視図である。
【図９】図２の浴槽用アダプタが装着される循環口に接続された循環パイプのさらに他の一例を示す斜視図である。
【図１０】図２の浴槽用アダプタが装着される循環口に接続された循環パイプのさらに他の一例を示す斜視図である。
【図１１】図２の浴槽用アダプタが装着される循環口に接続された循環パイプのさらに他の一例を示す斜視図である。
【図１２】図８および図９に示す循環パイプと浴槽用アダプタとの取り付け状態を示す説明図である。
【図１３】図１０に示す循環パイプと浴槽用アダプタとの取り付け状態を示す説明図である。
【図１４】図１１に示す循環パイプと浴槽用アダプタとの取り付け状態を示す説明図である。
【図１５】本発明の実施の形態２による浴槽用アダプタが循環口に取り付けられた状態を示す断面図である。
【図１６】図１５に示す循環パイプと浴槽用アダプタとの取り付け状態を示す説明図である。
【図１７】本発明の実施の形態３による浴槽用アダプタが循環口に取り付けられた状態を示す断面図である。
【図１８】図１７に示す循環パイプと浴槽用アダプタとの取り付け状態を示す説明図である。
【図１９】本発明の実施の形態４による循環口に挿入された浴槽用アダプタを示す断面図である。
【図２０】循環口に固定された浴槽用アダプタを示す断面図である。
【図２１】本発明の実施の形態５による浴槽用アダプタが循環口に取り付けられた状態を示す断面図である。
【図２２】本発明の実施の形態６による浴槽用アダプタが循環口に取り付けられた状態を示す断面図である。
【図２３】本発明の実施の形態７による浴槽用アダプタが循環口に取り付けられた状態を示す断面図である。
【図２４】従来の浴槽用アダプタを示す斜視図である。
【図２５】循環口に取り付けられた図２４の浴槽用アダプタを示す断面図である。
【符号の説明】
１１    浴槽水
１２    浴槽
１３    風呂釜
１４    循環パイプ
１４ａ  パイプ本体
１４ｂ  アタッチメント
１４ｃ  フランジ
１４ｄ  フランジ
１５    往き管
１６    戻り管
１７    熱交換器
１８    バーナ
１９    循環ポンプ
２０ａ  循環口
２０ｂ  循環口
２１    浴槽用アダプタ
２２    浴槽用アダプタ
２３    基部
２４    フィルタ（機能部）
２５    貫通孔
２６    押圧部
２６ａ  テーパ部
２７    バー
２７ａ  孔
２８    ねじ部材
２８ａ  頭部
２８ｂ  本体部
２９    拡径部
２９ａ  テーパ部
２９ｂ  ガイド部
３０    ガイド部
３１    干渉防止部
３２    環状シール
３３    嵌合突起
３４    支柱
３４ａ  ねじ孔
３５    浴槽用アダプタ
３６    浴槽用アダプタ
３７    浴槽用アダプタ
３８    押圧部
３９    拡径部
４０    浴槽用アダプタ
４１    浴槽用アダプタ
４２    浴槽用アダプタ
４３    ノズルキャップ（機能部）
４３ａ  ノズル
４４    浴槽用アダプタ
４５    循環口
４６    ジョイント部
４７    フィン
【図１】
0003691648.tif 000002
【図２】
0003691648.tif 000003
【図３】
0003691648.tif 000004
【図４】
0003691648.tif 000005
【図５】
0003691648.tif 000006
【図６】
0003691648.tif 000007
【図７】
0003691648.tif 000008
【図８】
0003691648.tif 000009
【図９】
0003691648.tif 000010
【図１０】
0003691648.tif 000011
【図１１】
0003691648.tif 000012
【図１２】
0003691648.tif 000013
【図１３】
0003691648.tif 000014
【図１４】
0003691648.tif 000015
【図１５】
0003691648.tif 000016
【図１６】
0003691648.tif 000017
【図１７】
0003691648.tif 000018
【図１８】
0003691648.tif 000019
【図１９】
0003691648.tif 000020
【図２０】
0003691648.tif 000021
【図２１】
0003691648.tif 000022
【図２２】
0003691648.tif 000023
【図２３】
0003691648.tif 000024
【図２４】
0003691648.tif 000025
【図２５】
0003691648.tif 000026